(57)【特許請求の範囲】
【請求項１】
第１の側面および第２の側面を含む接地面（１９０、２９０、３９０）とその接地面の第１の側面から所定の距離に取り付けられかつ前記接地面の第２の側面から給電手段（２９４）により給電される少なくとも１個のアンテナ要素（１５０、２５０、３５０）とを備え、主としてマイクロ波の周波数範囲内の電磁信号を、マイクロストリップアンテナの法線に対して或る方向にアンテナローブで受信および送信するためのマイクロストリップアンテナであって、前記接地面の第１の側面上に、各々の前記アンテナ要素が投影される各々の投影部の周りに金属枠（１００、２００、３０１、３０３）を配置して、接地面の第１の側面上の金属枠の形状と位置決めにより前記アンテナローブの寸法と方向を調整し、
前記金属枠（１００、２００、３０１、３０３）は第１の側面と第２の側面からなり、前記金属枠の第２の側面は前記アンテナ要素の投影部に向かい、また前記金属枠の第１の側面と第２の側面は、前記金属枠に沿って形成された少なくとも１つの端（２０８、３０８）を通して電気的に相互に接続され、
第１角は、前記金属枠の第１の側面と、前記端を通る前記接地面の第１の側面の法線（３０９）との間に形成され、前記第１の角は前記法線から前記アンテナ要素とは逆向きを正とし、
第２角は、前記金属枠の第２の側面と、前記端を通る前記接地面の第１の側面の法線（３０９）との間に形成され、前記第２の角は前記法線から前記アンテナ要素への向きを正とし、
前記アンテナローブを調整するには、前記第１の角はゼロより大きいあるいは負で絶対値は第２の角より小さい、又は、第２の角はゼロより大きいあるいは負で絶対値は第１の角より小さいことを特徴とする、マイクロストリップアンテナ。
【請求項２】
金属枠（１００、２００、３０１、３０３）の周りで、少なくとも１つの前記角（３０５、３０６）の少なくとも一度の変化により、前記アンテナローブの調整が可能なことを特徴とする、請求項１に記載のマイクロストリップアンテナ。
【請求項３】
前記端（３０８）は、前記接地面（１９０、２９０、３９０）と、前記アンテナ要素（１５０、２５０、３５０）が主に置かれている平行面との間にあることを特徴とする、請求項１又は請求項２に記載のマイクロストリップアンテナ。
【請求項４】
前記端（３０８）は、前記アンテナ要素（１５０、２５０、３５０）が置かれていて前記接地面（１９０、２９０、３９０）に平行な面内に主にあることを特徴とする、請求項１又は請求項２に記載のマイクロストリップアンテナ。
【請求項５】
前記端は、平行な接地面（１９０、２９０、３９０）に対して、アンテナ要素（１５０、２５０、３５０）が置かれている面より上にあることを特徴とする、請求項１又は請求項２に記載のマイクロストリップアンテナ。
【請求項６】
前記金属枠の周りで、前記接地面（１９０、２９０、３９０）の法線に沿って接地面から前記端（３０８）までの距離の変化により、前記アンテナローブの調整が可能なことを特徴とする、請求項１又は請求項２に記載のマイクロストリップアンテナ。
【請求項７】
前記金属枠を前記接地面（１９０、２９０、３９０）に電気的に接続することを特徴とする、請求項１〜請求項６のいずれかに記載のマイクロストリップアンテナ。
【請求項８】
前記金属枠を前記接地面（１９０、２９０、３９０）から電気的に絶縁することを特徴とする、請求項１〜請求項６のいずれかに記載のマイクロストリップアンテナ。
【請求項９】
前記金属枠を前記接地面の前記第１の側面上にある各々の前記アンテナ要素の投影部の周りを主に中心にすることを特徴とする、請求項１〜請求項８のいずれかに記載のマイクロストリップアンテナ。
【請求項１０】
前記金属枠を前記接地面の前記第１の側面上にある各々の前記アンテナ要素の投影部の周りに非対称に配置し、
前記非対称は、金属枠の位置、高さ又は金属枠の側面の角度が非対称であることを特徴とする、請求項１〜請求項８のいずれかに記載のマイクロストリップアンテナ。
【請求項１１】
前記アンテナ要素（１５０、２５０、３５０）はアパーチャ結合パッチであることを特徴とする、請求項１〜請求項１０のいずれかに記載のマイクロストリップアンテナ。
【請求項１２】
前記アンテナ要素（１５０、２５０、３５０）は二重偏波であることを特徴とする、請求項１〜請求項１１のいずれかに記載のマイクロストリップアンテナ。
【請求項１３】
前記金属枠の端線はアンテナ要素（１５０、２５０、３５０）の偏波に平行または垂直であることを特徴とする、請求項１〜請求項１２のいずれかに記載のマイクロストリップアンテナ。
【請求項１４】
前記金属枠の端線は四角形を形成することを特徴とする、請求項１〜請求項１３のいずれかに記載のマイクロストリップアンテナ。
【請求項１５】
前記マイクロストリップアンテナは、それぞれ自分の金属枠を有する少なくとも２個のアンテナ要素（１５０、２５０、３５０）を持つアレーアンテナであることを特徴とする、請求項１〜請求項１４のいずれかに記載のマイクロストリップアンテナ。
【請求項１６】
アンテナ要素（１５０、２５０、３５０）は±４５°の二重偏波アパーチャ結合パッチであることを特徴とする、請求項１〜請求項１５のいずれかに記載のマイクロストリップアンテナ。
【請求項１７】
第１の側面および第２の側面を含む接地面と、その接地面の第１の側面から所定の距離に取り付けられ接地面の第２の側面からマイクロストリップ給電網により給電される±４５°二重偏波アパーチャ結合パッチである少なくとも２個のマイクロストリップアンテナ要素とを備え、主としてマイクロ波の周波数範囲内の電磁信号を、アレーアンテナの法線に対して或る方向にアンテナローブで受信および送信するためのアレーアンテナであって、前記接地面の第１の側面上に、各々の前記マイクロストリップアンテナ要素が投影される投影部の周りに金属枠を配置して、接地面の第１の側面上の前記金属枠の形状と位置決めにより前記アンテナローブの寸法と方向を調整し、前記金属枠は第１の側面と第２の側面からなり、前記金属枠の第２の側面は各マイクロストリップアンテナ要素の投影部に向かい、前記金属枠の第１の側面と第２の側面は、前記金属枠に沿って形成された少なくとも１つの端（２０８、３０８）を通して電気的に相互に接続され、また前記金属枠の第１の側面と、前記端を通る前記接地面の第１の法線との間の端に第１の角を形成し、前記第１の角は前記法線から前記アンテナ要素とは逆向きを正とし、
第２角は、前記金属枠の第２の側面と、前記端を通る前記接地面の第１の側面の法線（３０９）との間に形成され、前記第２の角は前記法線から前記アンテナ要素への向きを正とし、
前記アンテナローブを調整するには、前記第１の角はゼロより大きいあるいは負で絶対値は第２の角より小さい、又は、第２の角はゼロより大きいあるいは負で絶対値は第１の角より小さいことを特徴とする、アレーアンテナ。
【請求項１８】
少なくとも一つの前記第１及び第２角が変えられることを特徴とする、請求項１７に記載のアレーアンテナ。
【請求項１９】
前記金属枠の周りに線を形成する前記金属枠の端は全部の線に沿って前記マイクロストリップアンテナ要素から等距離にあることを特徴とする、請求項１７又は１８に記載のアレーアンテナ。
【請求項２０】
前記アンテナローブの方向を調整するのに、少なくとも１個のマイクロストリップアンテナ要素の金属枠を各々の前記マイクロストリップアンテナ要素の投影部の周りに非対称に配置し、
前記非対称は、金属枠の位置、高さ又は金属枠の側面の角度が非対称であることを特徴とする、請求項１７〜請求項１９のいずれかに記載のアレーアンテナ。
【請求項２１】
異なるマイクロストリップアンテナ要素の各金属枠は同じではないことを特徴とする、請求項１７〜請求項２０のいずれかに記載のアレーアンテナ。
【発明の詳細な説明】
発明の技術分野
本発明はアンテナ、特にアンテナローブの調整と修正を行うことが可能なマイクロ波アンテナ用の、および／またはアンテナを構成する装置に関する。また本発明はアンテナ、特に二重偏波放射アンテナ要素（dual-polarized radiating a ntenna elements）における偏波の間の結合を減らしまたは完全に除くことのできるマイクロ波アンテナ用の、および／またはアンテナを構成する装置に関する。
発明の背景
移動電話の発達により、とりわけ、基地局用のアンテナを簡単に安価に大量生産する必要が高まった。移動電話はマイクロ波の範囲内にある周波数範囲を用いるので、良く用いられるアンテナの種類はマイクロストリップアンテナである。マイクロストリップアンテナは、接地面の前に取り付けられた放射アンテナ要素から成る。基地局はセルをカバーするために通常は多数のアンテナを用いる。異なる移動電話運営者は異なるアルゴリズムを用いてセルを設計するので、とりわけ、異なるローブ幅を持つアンテナが必要になる。マイクロストリップアンテナのローブ幅を調整する１つの方法は接地面の寸法を修正することである。大きなローブ幅が必要な場合は、接地面の寸法が制限される。大きなローブ幅が必要なときに接地面の寸法を減らすと、放射要素用の給電網として例えばマイクロストリップ配電網を用いる可能性も制限されるので問題である。したがって、広いローブを持つアンテナは給電網としてマイクロストリップ配電網を全体的に用いることはできず、せいぜいごく限られた範囲で用いるだけである。必要であれば、狭いローブを持つアンテナは多くの場合に給電網としてマイクロストリップ配電網を用いることができる。これはとりわけ、これらのアンテナの製造面で、したがってコスト面で有利である。ローブ幅を調整するのに接地面の寸法を修正することが不利であることのもう１つの主な理由はアンテナの形状や寸法が影響を受けることであって、必要なローブ幅が異なると違ったアンテナを設計し製作しなければならない。アンテナの寸法や形状を修正すると、例えば耐候性（レードーム）を変えたり取付けの配置を修正したりする必要が生じるなど、多くの問題が生じる。カバレージを改善し信頼度を上げることは移動電話では特に重要なことであって、このために偏波ダイバーシチが用いられる。アンテナ、特にマイクロ波アンテナは二重偏波放射要素を用いる。なぜなら、これによりアンテナの寸法と製造コストが小さくなるので、単一偏波放射要素を用いるのに比べて有利だからである。特に移動電話では、±４５°偏波を持つアンテナが必要になった。なぜなら、この型の偏波は０/９０°偏波に対して優れた対称伝播／減衰などの多くの利点があることが分かったからである。残念ながら、０/９０°偏波アンテナに対して、偏波の間の絶縁が十分な（すなわち交差結合の小さい）二重偏波放射要素を持つ±４５°偏波アンテナ、特にマイクロストリップアンテナを製作することは困難であることが分かった。
発明の概要
本発明の１つの目的は、アンテナの接地面の寸法を修正せずにアンテナのローブ幅と必要であればローブ方向を調整する、アンテナ、特にマイクロストリップアンテナなどのマイクロ波アンテナ用の、および／またはアンテナを構成する装置を示すことである。本発明の別の目的は、二重偏波放射要素（dual-polarized radiation element s）において偏波の間に交差結合が発生するのを完全にまたは部分的に押さえる、アンテナ、特にマイクロストリップアンテナなどのマイクロ波アンテナ用の、および／またはアンテナを構成する装置を示すことである。本発明において上記の目的は、アンテナローブを調整し、かつ二重偏波放射要素において偏波の間の交差結合を完全にまたは部分的に押さえる、アンテナ、特にマイクロストリップアンテナなどのマイクロ波アンテナ用の、および／またはアンテナを構成する装置により達成される。所望のローブ幅になるように側面に角度を付けることのできる金属枠を、アンテナの接地面の頂部にある各アンテナ要素の周りに置く。アンテナ要素の周りの金属枠の形状と位置決めによってアンテナローブを調整することもできる。このようにして、例えばアンテナ用の望ましいマイクロストリップ配電網に依存するアンテナの接地面の寸法とは関係なしに、アンテナローブを望むように調整することができる。本発明において上記の目的は、主としてマイクロ波の周波数範囲内の電磁信号を、アンテナの垂線に対して或る方向にアンテナローブで受信または送信するアンテナによっても達成される。アンテナは接地面と少なくとも１個のアンテナ要素を含む。接地面は第１の側面と第２の側面を含む。アンテナ要素は接地面の第１の側面から所定の距離に取り付けられ、アンテナ要素は接地面の第２の側面から給電手段により給電される。アンテナ要素は、例えばプローブ給電またはアパーチャ給電である。本発明においては、接地面の第１の側面上に、接地面の第１の側面上のアンテナ要素の投影部の周りに金属枠を配置して、接地面の第１の側面上の金属枠の形状と位置決めによりアンテナローブの寸法と方向を調整する。アンテナ要素は金属枠に対して適当な位置に配置する。すなわち、金属枠はアンテナ要素の保持器としての機能も持つ。金属枠は適当な第１の側面と第２の側面を含む。
金属枠の第２の側面はアンテナ要素の投影部に面する。金属枠の第１の側面と第２の側面は、金属枠に沿って線を形成する少なくとも１つの端を通して電気的に相互に接続する。
この端は金属枠上の適当な上端/端線である。アンテナローブをより良く調整することができるようにするために、金属枠の第１の側面と、接地面の第１の側面の垂直面との間の端（垂直面はこの端を通る）に第１の角を形成して良い。第１の角は接地面の第１の側面の垂直面（端を通る）からアンテナ要素とは逆向きを正と考える。第２の角も形成して良いが、この場合は金属枠の第２の側面と接地面の第１の側面の垂直面との間の端（垂直面はこの端を通る）にこの角を形成する。第２の角は接地面の第１の側面の垂直面（端を通る）からアンテナ要素への向きを正と考える。アンテナローブを調整するには、第１の角は正でゼロより大きくて良い。アンテナローブを調整するには、第２の角は正でゼロより大きくて良い。角度は両方ともゼロに等しくするか、または両方ともゼロ以外の角度にして良い。或る応用では、アンテナローブを調整するには、第１の角は正（ゼロより大きい）で、第２の角は負（ゼロより小さい）で絶対値は第１の角より小さいのが良い。別の応用では、アンテナローブを調整するには、第２の角は正で、第１の角は負で絶対値は第２の角より小さいのが良い。場合によっては、アンテナローブを調整するには、少なくとも１つの角を金属枠の周りで少なくとも１度値を変えると良い。端は、接地面と、アンテナ要素が主に置かれている平行面との間にあると良い。または端は、アンテナ要素が置かれかつ接地面に平行な面内に主にある。または端は、平行な接地面に対して、アンテナ要素が置かれている面より上にある。アンテナローブを調整するには、接地面の垂線に沿って接地面から端までの距離を金属枠の周りで変えることも考えられる。すなわち、端は金属枠の周りでアンテナ要素より下、または上、または同じ面内（またはこれらの２つ以上の組合せ）にあって良い。金属枠は、接地面に電気的に接続しても良いし電気的に絶縁しても良い。応用に従って、金属枠を接地面の第１の側面上にあるアンテナ要素の投影部の周りを主に中心とし、または接地面の第１の側面上にあるアンテナ要素の投影部の周りに非対称に配置しても良い。本発明の或る実施の形態では、アンテナはマイクロストリップアンテナであって、アンテナ要素はアパーチャ結合パッチであり、適当な場合は例えば±４５°二重偏波である。金属枠の端線はアンテナ要素の偏波に平行または垂直である。四角いパッチを用いる或る応用では、金属枠の端線は四角形を形成すると良い。アンテナは、それぞれが自分の金属枠を有する少なくとも２個のアンテナ要素を持つアレーアンテナで良い。
上述の目的はアレーアンテナによっても達成される。アレーアンテナは、主としてマイクロ波の周波数範囲内の電磁信号を、アレーアンテナの垂線に対して或る方向にアンテナローブで受信または送信する。アレーアンテナは接地面と少なくとも２個のマイクロストリップアンテナ要素を含む。接地面は第１の側面と第２の側面を含む。マイクロストリップアンテナ要素は、接地面の第１の側面（の前／上）から所定の距離に取り付けられた、接地面の第２の側面からマイクロストリップ給電網により給電される±４５°の二重偏波アパーチャ結合パッチである。本発明では、接地面の第１の側面上に、接地面の第１の側面上の各マイクロストリップアンテナ要素の投影部の周りに金属枠を配置する。接地面の第１の側面上の金属枠の形状と位置決めによりアンテナローブの寸法と方向を調整する。金属枠は第１の側面と第２の側面を含み、金属枠の第２の側面は各マイクロストリップアンテナ要素の投影部に面している。金属枠の第１の側面と第２の側面は、金属枠に沿って線を形成する少なくとも１つの端を通して電気的に相互に接続する。この端は金属枠上の適当な上端/端線である。金属枠の第１の側面と接地面の第１の側面の垂直面との間の端（垂直面はこの端を通る）に第１の角を形成し、金属枠の第２の側面と接地面の第１の側面の垂直面との間の端（垂直面はこの端を通る）に第２の角を形成する。応用によっては、第１の角と第２の角の少なくとも一方を金属枠の周りで変えると良い。金属枠の周りに線を形成する金属枠の端は全部の線に沿ってマイクロストリップアンテナ要素から等距離で良く、またはアンテナローブの方向を調整するのに金属枠をマイクロストリップアンテナ要素の投影部の周りに非対称に配置する。異なるマイクロストリップアンテナ要素の各金属枠は必ずしも同じものではない。本発明はアンテナに関する限り従来のアンテナに比べて、特にアンテナの放射要素用の給電網としてマイクロストリップ配電網を用いるマイクロストリップアンテナなどのマイクロ波アンテナに比べて、多くの利点を有する。アンテナの放射要素は、例えばスロットや、アパーチャ結合パッチや、ダイポールで良い。本発明は、アンテナ内の各放射要素の周りに配置した金属枠の側面の傾きや高さや位置（またはこれらの組合せ）を変えるだけでローブ幅（ローブ寸法）を調整することができる。また本発明は、金属枠内のアンテナ要素の中心を決めることにより、または金属枠上の反対側の高さや角度を変えることにより、アンテナの垂線に対してアンテナローブの方向を調整することができる。このようにして、アンテナを大量に設計して製作することができる。また需要に応じて、製作の遅い段階で単に、とりわけ、ローブ幅に関して特注品を作ることができる。また本発明により二重偏波放射要素における偏波の間の交差結合を部分的にまたは完全に除くことができる。これは、本発明で偏波の方向毎に鏡面対称環境を作り、これによって第２偏波の成分を励起しないことにより達成される。このようにして、±４５°の二重偏波放射アンテナ要素を持つマイクロストリップアンテナを用いることが可能になる。
本発明により、アレーアンテナ内の異なるアンテナ要素の間の交差結合も減少する。つまり、大量に生産される移動電話システム用の例えば基地局アンテナに関して本発明は有用である。
【図面の簡単な説明】
本発明について、明確にするために添付の図面を参照して以下に詳細に説明するが、これは限定するものではない。
図１は、アパーチャ結合二重偏波パッチを持つ、本発明の±４５°偏波マイクロストリップアレーアンテナの前面図を示す。
図２は、図１のアンテナの側面図を示す。
図３Ａ−図３Ｅは、本発明のアンテナの異なる実施の形態の断面図を示す。
図４は、ダイポールを放射要素とした、本発明の単一偏波アンテナ（single-p olarized antenna）の図を示す。
図５は、ダイポールを放射要素とした、本発明の単一偏波アンテナの前面図を示す。
図６は、ダイポールを放射要素とした、本発明の二重偏波アンテナ（dual-pol arized antenna）の前面図を示す。
好ましい実施の形態の説明
本発明を明らかにするため、図１〜図６を参照してその応用のいくつかの例を以下に説明する。
図１は、本発明に従って設計されたアレーアンテナの一部の前面図を示す。図のアレーアンテナは±４５°偏波マイクロストリップアンテナで、移動電話システムの基地局アンテナとして適したものである。この例では、アパーチャ結合二重偏波パッチ（aperture-coupled dual-polarized patches）１５０を放射アンテナ要素として用いる。
パッチ１５０は例えば接地面１９０内のスロットの上にある。本発明では、金属枠１００が放射アンテナ要素１５０の周りにある。パッチ１５０の端は、金属枠１００から約λ/２０乃至λ/２（λは波長）のところにある。金属枠１００は望ましいアンテナ特性に従って、接地面１９０と電気的に接続しているか、または接地面１９０から電気的に絶縁されている。
図２は、本発明のマイクロストリップアンテナの側面図を示す。側面図は、例えば図１のアンテナと同様なアンテナのもので良い。図に、マイクロストリップ配電網を示す。これは、配電網２９４と、接地面２９０と、支持基板２９２を含む。ここでアパーチャ結合パッチ２５０として示す放射アンテナ要素２５０も、通常は支持基板２５２を有する。パッチ２５０は、通常は接地面２９０から約λ/１０のところにある。本発明では、金属枠２００を接地面２９０上に、接地面２９０に対して各放射アンテナ要素２５０の投影部の周りに置く。この側面図では、金属枠２００の上端２０８は接地面２９０とパッチ２５０の間にある。金属枠２００の高さは接地面２９０から約λ/４０乃至λ/４である。つまり、金属枠２００の上端２０８は接地面２９０とパッチ２５０の間か、パッチ２５０と同じ面か、またはパッチ２５０の反対側（すなわち、上か前）にある。
図３Ａ〜図３Ｅは本発明のアンテナの異なる実施の形態の断面図を示す。これらは例えば図１または図２のアンテナの断面図である。放射アンテナ要素はここでも接地面３９０から少し離れたところに置いたアパーチャ結合パッチ３５０として示す。接地面３９０だけ基板３９２と共に示した。図３Ａは金属枠３０１を示す。金属枠３０１の第１の側面３３０は、接地面に垂直な面３０９（この場合は金属枠の第２の側面３３１と同じ）との間の角度α３０５だけ放射アンテナ要素３５０から離れている。前記垂直面は金属枠の上端３０８を通る。角度α３０５（−９０°＜α＜１８０°）はローブ幅を決定する（９０°から０°の範囲内ではローブは拡大され、９０°より上ではローブは圧縮される）パラメータであって、図３−図６では正であり、図１と図２では０°である。角度α３０５がゼロより大きいときにできる空隙３０２は空気または支持基質または他の誘電体で良い。金属枠３０１は全て金属（つまり空隙３０２は金属で充満している）でも良い。
図３Ｂは、金属枠３０１が接地面３９０とパッチ３５０の間の距離より低いものを示す。すなわち金属枠３０１の上端３０８は、接地面３９０と、接地面に平行な、放射アンテナ要素であるパッチ３５０が主に乗っている面との間にある。図３Ｃは、金属枠３０１が接地面３９０とパッチ３５０の間の距離より高いものを示す。図３Ａ、図３Ｄ、図３Ｅは、金属枠３０１および３０３の上端３０８の高さが、パッチ３５０が主に乗っている面と同じ平面にある金属枠３０１および３０３を示す。金属枠が高くなるほどアンテナローブは広くなる。金属枠３０１の高さは金属枠３０２の周りで非対称でも良い。この場合は、アンテナローブは金属枠の高さが高い方向に向く。本発明では、金属枠３０１をアンテナ要素（この例ではパッチ３５０）の周りに非対称に置く（すなわち、四角い金属枠の１つの側面または２つの側面を他の２つの側面または３つの側面よりアンテナ要素に近づける）ことによりアンテナローブを調整することができる。アンテナローブはアンテナ要素が金属枠に近い方向に向く。また金属枠の周囲を修正してアンテナローブを調整することもできる。この場合、周囲が小さいほど（すなわち金属枠がアンテナ要素に近いほど）アンテナローブは広く/大きくなる。
図３Ｄは、金属枠のパッチ３５０側の側面と、接地面の垂直面（この垂直面は金属枠の上端３０８を通る）の間の角度β３０６（−１８０°＜β＜９０°であって、この図の場合は０°より大きい）を用いてローブを調整できることを示す（もちろん、角度β３０６が負で絶対値が角度α３０５より小さくても良い）。
図４は、接地面４９０の上にアンテナ要素として単一偏波ダイポール（single -polarized dipole）４５１を持つ例を示す。ここで、ローブ幅を調整するのに必要なのは本発明の２個の金属壁４０５だけである。この場合は金属壁４０５を用いて、例えばアレーアンテナの一部を形成する個別の放射アンテナ要素４５１毎にローブ幅を個別に調整することができる。場合によっては、二重偏波アンテナ要素も２個の金属壁だけで十分である。
図５は、図４の例と同様に、接地面５９０上に単一偏波ダイポール５５１を持つ例を示す。この図は、アンテナローブを調整するための本発明の金属枠５０１を示す。
図６は、本発明の金属枠６０１を持ち、接地面６０９上に二重偏波ダイポール６５１を持つ例を示す。本発明はアンテナ、特にマイクロストリップアンテナなどのマイクロ波アンテナと、そのローブの調整と、二重偏波アンテナ要素を用いる場合の偏波の間の絶縁を高めることに関する。アンテナの接地面上に、各放射アンテナ要素の投影部の周りに置いた金属枠を用いて、金属枠の位置決めと形状によりアンテナローブの幅と方向を調整し、また二重偏波アンテナ要素における偏波の間の交差結合を除去しまたは減少させることを示した。本発明は上に示した実施の形態に限定されるものではなく、請求の範囲内で修正することができる。
【図１】
0004223564.tif 000002
【図２】
0004223564.tif 000003
【図３Ａ】
0004223564.tif 000004
【図３Ｂ】
0004223564.tif 000005
【図３Ｃ】
0004223564.tif 000006
【図３Ｄ】
0004223564.tif 000007
【図３Ｅ】
0004223564.tif 000008
【図４】
0004223564.tif 000009
【図５】
0004223564.tif 000010
【図６】
0004223564.tif 000011